(57)【要約】      （修正有）【課題】バイオ技術を利用することなく、無菌状態にする設備も利用しないで対馬産黄金オニユリの栽培を大幅に簡略化でき、更には高効率でしかも短期間に栽培する方法を提供する。【解決手段】トレイ状の容器内９に水苔上にムカゴ１を撒き、又は水苔８にムカゴを埋め込み、発根までの期間を前記水苔が常時保水した状態を維持し、発根可能な温度範囲にて遮光させて栽培し、発根したムカゴ、又は発根後に発芽したムカゴをピートモスに植え替えるすることを特徴とする。【選択図】図２
2017074031.tif 000002
【特許請求の範囲】
【請求項１】
水苔上にムカゴを撒き、発根までの期間を前記水苔が常時保水した状態を維持することを特徴とする対馬産黄金オニユリのムカゴ栽培方法。
【請求項２】
発根までの環境温度が、１０℃から３０℃以下とする請求項１記載の希少対馬産オニユリのムカゴ栽培方法。
【請求項３】
発根までの遮光条件が、２５％以上１００％以下であることを特徴とする請求項１記載の対馬産黄金オニユリのムカゴ栽培方法。
【請求項４】
前記栽培方法により発根したムカゴ又は発芽成長までしたムカゴをピートモスに植え替えて栽培する対馬産黄金オニユリの栽培方法。
【発明の詳細な説明】
【発明の詳細な説明】
【技術分野】
【０００１】本発明は、オニユリの栽培方法に関し、特に栽培が困難とされている対馬産黄金オニユリのムカゴからの発根率を略１００％とし、越冬後の該発根したムカゴの発芽率を８０％以上にする対馬産黄金オニユリの栽培方法に関する。
【背景技術】
【０００２】北半球のアジアを中心に亜熱帯から温帯、亜寒帯にかけて広く分布しており、品種は約１３０品種、日本には１５種があり７種は日本特産種である。山岳地帯を含む森林や草原に自生することが多いが、数種は湿地に自生する。一般的に、石灰質でない弱酸性の土壌を好み、日本の園芸では秋植えの球根草として扱われる。代表的な種に、ヤマユリ、オニユリ、カノコユリ、ササユリ、テッポウユリ、オトメユリなどがある。形態の特徴としては、鱗茎（球根）を有する。茎を高く伸ばし、夏に漏斗状の花を咲かせる。植栽時期は１０−１１月。５−８月ごろ開花する。【０００３】系統・分類として、ユリ属は以下の亜属に分類される。
１）  ヤマユリ亜属（Ａｒｃｈｅｌｉｒｉｏｎ）：ヤマユリ、ハカタユリ、ササユリなど
２）  テッポウユリ亜属（Ｌｅｕｃｏｌｉｒｉｏｎ）：タカサゴユリ、テッポウユリなど
３）  リリオイプス亜属（Ｌｉｒｉｏｔｙｐｕｓ）：マドンナリリーなど
４）  カノコユリ亜属（Ｍａｒｔａｇｏｎ）：タケシマユリ、マルタゴンリリーなど
５）  スカシユリ亜属（Ｐｓｅｕｄｏｌｉｒｉｏｎ）：スカシユリ、エゾスカシユリなど
６）  シノマルタゴン亜属（Ｓｉｎｏｍａｒｔａｇｏｎ）：ヒメユリ、オニユリなど【０００４】栽培方法としては、病気にかかって球根が腐りやすいため排水のよい清潔な土に、球根の上にも根が出るので地表から最低球根１個分以上は下の土に植える。加湿に弱いので梅雨の時期の病気に気をつける。
また極度の乾燥を嫌うので気温が高い時期は気をつけるとされている。
増殖には種子をまいて実生を得る方法や球根の鱗茎を挿す鱗茎挿しなどがある。これらの増殖法では多くの土地と人手を必要とするばかりでなく、近年ではウイルス病の蔓延によりユリ種苗の生育速度の低下や花の品質低下が問題となっている。これら問題点を改良するために、植物組織培養によるユリ種苗の増殖研究が行われている。【０００５】特許文献１には、植物組織片から子球を形成させる組織培養の初期工程では従来と同じ方法による固体培養法を行い、その後が液体培養を組み合わせた増殖法で増殖率が大幅に向上することが報告されている。
しかし、該方法では培養の効率が悪いと言った問題がある。【０００６】特許文献２には、ユリ属植物から種子を採取し、該種子を固体培地に播種して発芽させる種子発芽過程と、得られた発芽体を液体培養して球根を生産する球根培養過程とを備える技術であり、種子発芽過程に播種した後、温度を２５〜３５℃、とする高温状態に１〜３ヶ月程度保持し、引き続いて温度を１０〜２０℃程度とする低温状態に保持して発芽を促進させる高温−低温処理を含み液体通気培養と液体振盪培養とのいずれか一方で行い、球根培養過程で得られた球根を０〜１０℃の温度下に保管した後に該球根を栽培することで組織培養の開始から開花球根が得られるまでに４年程度必要であったが当該技術にて１年より短期間栽培して開花球根を生産することが記載されている。【０００７】一方、希少ユリの栽培を成功した事例として、非特許文献１には、昭和３０年代にほぼ絶滅して「幻のユリ」と呼ばれた平戸市固有種「キヒラトユリ」をバイオ技術で保護・増殖していることが掲載されている。菌が入らないように無菌状態のバイオ実験設備でピンセットをガスバーナーで消毒。瓶中の寒天状の培地で培養している球根の鱗片を２〜３ヶ月に一度、新しい培地に入れ替えて生育させている方法が採用されている。
【先行技術文献】
【特許文献】
【０００８】
【特許文献１】特開昭５５−１５７３４号公報
【特許文献２】特開平８−１７２９５４号公報
【非特許文献】
【０００９】
【非特許文献１】西日本新聞  佐世保版  ２０１５年７月２８日  ２４ページ
【発明の概要】
【発明が解決しようとする課題】
【００１０】上記課題に鑑み、発明者は誠意工夫の結果、バイオ技術を利用することなく、無菌状態にする設備も利用しないで対馬産黄金オニユリの栽培を大幅に簡略化でき、更には高効率でしかも短期間に栽培する方法を提供することを目的としている。
【課題を解決するための手段】
【００１１】上記目的を達成するために、第一の発明は、例えばトレイ状の容器内に水苔上にムカゴを撒き、又は水苔にムカゴを埋め込み、発根までの期間を前記水苔が常時保水した状態を維持し、遮光させて栽培することを特徴とする対馬産黄金オニユリの栽培方法である。尚、発根までの期間とは発根途中、若しくは発根が完了するまでの期間を言う。【００１２】植物栽培での一般的な水苔の利用は、蘭の根を該水苔で囲い、土壌に植え付ける方法が有名である。蘭栽培に於ける水苔の利用目的は、保水性を確保すること、及び植え替えが必要とされるために水苔を根に巻き込むことで植え替え時の解体作業で根を傷めることを防止するためである。【００１３】水苔自体の特性として、水苔の細胞はスポンジに似たつくりになっているため水分を含みやすく乾燥時重量の最大２０００％の水を吸収することができるとされている。更に、高酸度の環境では植物を分解するバクテリアが繁殖できないこと、及び抗菌性もあるために無菌室設備が不要となる。【００１４】第二の発明は、前記水苔を利用したムカゴの発根が止まるまでの環境温度は１０℃以上３０℃以下、好ましくは２０℃から２５℃であることを特徴とする請求項１記載の対馬産黄金オニユリの栽培方法である。【００１５】対馬産黄金オニユリのムカゴの発根は、春先から初夏に掛けてであるため自然温度環境に合わせることを特徴としている。言い換えれば、温度制御するための設備が不要であることを意味している。【００１６】第三の発明は、前記水苔を利用したムカゴの発根が完了するまでの直射日光に対する遮光条件が２５％以上１００％以下であることを特徴とする請求項１記載の対馬産黄金オニユリの栽培方法である。【００１７】自然環境に生息しているユリの生殖場所を観察すると、同じ敷地内でも日当たりが良い場所よりも日当たりの悪い場所にユリは成長しており、遮光することで前記黄金オニユリの成長が促進できることを見出した。【００１８】第四の発明は、前記水苔を利用して発根したムカゴ、又は発根後に発芽したムカゴをピートモスに植え替えることを特徴とする対馬産黄金オニユリの栽培方法である。
【発明の効果】
【００１９】本発明の対馬産黄金オニユリの栽培方法は、今日までに報告されている組織培養法に必要な無菌状態にする設備や攪拌培養器にセットして液体振盪培養する装置の準備、寒天培地など培養操作に多くの人手と費用が掛からず、更には希少種のユリの栽培効率も向上し、又短期間にて栽培することが可能となる。
【図面の簡単な説明】
【００２０】
【図１】ユリの略図を示す。
【図２】本発明の水苔を用いたムカゴからの栽培方法を示す。
【発明を実施するための最良の形態】
【００２１】以下、本発明に係る実施の形態を図面により説明するが、本発明はこれらに限定されるものでなく、一例として水苔にムカゴを撒く際に水苔のみでなく通水性の高い小石や砂などを混ぜても良い。
図１は、対馬産黄金オニユリの開花後の状態を示す説明図である。
当該オニユリの球根３の上に出てくる上根２で栄養を吸収し、球根３の下に出てくる下根４にて種子５や茎６を支えている。球根３より成長した茎６には、茎１と葉７の根元にムカゴ１が成長する。当該ムカゴは一茎から数十個ほど採取できる。【００２２】前記採取したムカゴは、本発明である通水性の良い容器を用い十分に保水した水苔を敷いた上に当該ムカゴを撒き、若しくは十分に保水した水苔内に当該ムカゴを埋め込み、環境温度１０℃以上３０℃以下とし遮光率２５％以上を有するネットを覆うことでムカゴ成長を促進させ、且つ発根率略１００％にすることが可能となる。また、当該発明による発根したムカゴ若しくは発芽までしたムカゴは、前記水苔と一緒に土壌に植え付けることで翌年には高効率にて発芽し、開花させることが出来る。好ましくは、発芽したムカゴは一般の腐葉土でなくピートモスに植え替えることで更に高効率にて開花させることが可能となる。
【発明を実施するための形態】
【実施例】
【００２３】（実施例１）
図２に示すように十分に保水維持させた水苔９の上に対馬産黄金オニユリのムカゴ１を５０個撒いた通水性の良いトレイ形状の容器１０を複数準備した。ビニールハウス内に前記ムカゴを撒いた容器を１ヶ月間設置し、当該水苔が乾燥しないように２〜３日毎に水を与えた。遮光に関しては遮光ネットなし（１００％日光が照射）、遮光率２５％、５０％および７５％の遮光ネット、並びに遮光率１００％とするために前記トレイ状の容器内に光が届かないように蓋をしたサンプルを準備した。また、当該ハウス内の温度を１ヶ月間観察した結果、平均温度２５．５℃、最低温度１４．２℃、最高温度は３０．３℃であった。【００２４】（比較例１）
泥炭層から切り出した水苔を主原料とする複数の植物から作られたビートモス上に対馬産黄金オニユリのムカゴ５０個を撒いた通水性の良いトレイ形状の容器を複数準備した。実施例１と同じタイミングで同一ビニールハウス内に前記ムカゴを撒いた容器を１ヶ月間設置し、当該水苔が乾燥しないように２〜３日毎に水を与えた。遮光に関しても遮光ネットなし（１００％日光が照射）、遮光率２５％、５０％および７５％の遮光ネット、並びに遮光率１００％とするために前記トレイ状の容器内に光が届かないように蓋をしたサンプル準備した。【００２５】（比較例２）
実施例１で用いたムカゴを撒いたトレイ状の容器と遮光効率５０％のネットを準備し、同一ビニールハウス内に設置し、環境温度が３０℃を超える７月から栽培を開始した。【００２６】実施例１の結果、遮光率が２５％以上１００％で栽培したムカゴは大豆サイズとなり略全てが発根していた。一方、遮光しないものは成長しているものの発育が遅く根腐れしているものが５０％程観察された。
比較例１では、成長しているムカゴのサイズは実施例１と比較すると１／３倍程度であり発根状況も悪く、半数は成長もしていなかった。
比較例２では、実施例１と同様に大豆サイズに成長し発根もしているものは３０％程度であり他は腐れていた。【００２７】実施例１で得られた発根したムカゴは、使用した水苔を絡めて苗木ポットに移し替え越年させた。越年後、前記苗木ポットに植えたムカゴから約８０％の発芽が観察された。【００２８】（比較例３）
実施例１で得られる発根したムカゴの一部は発芽しているものもあり、当該発芽したムカゴは水苔を取り除き植物栽培用の腐葉土に植え替え発育状況を観察した。【００２９】（実施例２）
比較例１に使用した発芽したムカゴに対して、水苔を絡めた状態で植物栽培用の腐葉土に植え替え発育状況を観察した。【００３０】（実施例３）
比較例１に使用した発芽したムカゴに対して、水苔を取り除いた状態でビートモスに植え替え発育状況を観察した。【００３１】実施例２と実施例３では順調に発育していたが、比較例３では発育が非常に遅く、又発育が止まっているものも観察された。
【産業上の利用可能性】
【００３２】本発明による希少対馬産黄金オニユリの栽培方法によれば、水苔を保水維持させること、温度と遮光のみを管理することで簡単にムカゴの発根を略１００％達成することが可能であり、更に発根したムカゴは８０％以上の高効率にて発芽させることが可能であるため本発明の栽培方法は広く利用できる。
【符号の説明】
【００３３】１  ムカゴ
２  上根
３  球根
４  下根
５  種子
６  茎
７  葉
８  水苔
９  トレイ状の容器
【図１】
2017074031.tif 000003
【図２】
2017074031.tif 000004